(57)【要約】【課題】  カメラ内部に存在するダストを除去する装置を提供する。【解決手段】  デジタルカメラ１の集塵装置は、交換可能な撮像光学系と撮像素子５０との間の空間に存在するダストを吸い寄せる吸引ファン７０と、吸引ファン７０と空間との間に取り付けられ、吸い寄せられたダストが付着するフィルタ８０とを備える。【選択図】        図１
2006352516.tif 000002
【特許請求の範囲】
【請求項１】
交換可能な撮像光学系と撮像素子との間の空間に存在するダストを吸い寄せる吸引ファンと、
前記吸引ファンと前記空間との間に取り付けられ、前記吸い寄せられたダストが付着するフィルタとを備えるデジタルカメラの集塵装置。
【請求項２】
前記フィルタは、前記吸い寄せられたダストが付着する粘着剤を有することを特徴とする請求項１に記載の集塵装置。
【請求項３】
前記粘着剤は、孔を有し、前記孔を介して前記吸引ファンによる吸い寄せが行われることを特徴とする請求項２に記載の集塵装置。
【請求項４】
前記フィルタは、前記空間の下部に取り付けられ、前記吸引ファンは前記フィルタの下部に取り付けられることを特徴とする請求項１に記載の集塵装置。
【請求項５】
前記撮像素子または前記撮像素子と前記撮像光学系との間に取り付けられた光学フィルタに帯電する電荷を除去する除電装置を更に備え、前記吸引ファンは、前記除電前に前記撮像素子または前記光学フィルタに付着していたダストを吸い寄せることを特徴とする請求項１に記載の集塵装置。
【発明の詳細な説明】
【技術分野】
【０００１】
本発明は、集塵装置に関し、特に撮像光学系が交換可能なデジタルカメラ内のダストなどを集塵する装置に関する。
【背景技術】
【０００２】
撮影光学系と撮像素子との間に配置される各種フィルタなどに、カメラ内のダストなどが付着するのを防ぎダストの写り込みによる画質低下を軽減する装置が提案されている。特許文献１は、イオナイザにより、フィルタなどが帯びる電荷を除去してダストが付着し難くする装置を開示する。
【特許文献１】特開２００１−３５８９７４号公報
【発明の開示】
【発明が解決しようとする課題】
【０００３】
しかし、特許文献１の装置は、一時的に除電ができるが、ダストは除電後、再度帯電したフィルタなどに付着するため、画質低下の軽減を十分に行うことができない。
【０００４】
したがって本発明の目的は、カメラ内部に存在するダストを除去する装置を提供することである。
【課題を解決するための手段】
【０００５】
本発明に係るデジタルカメラの集塵装置は、交換可能な撮像光学系と撮像素子との間の空間に存在するダストを吸い寄せる吸引ファンと、吸引ファンと空間との間に取り付けられ、吸い寄せられたダストが付着するフィルタとを備える。
【０００６】
好ましくは、フィルタは、吸い寄せられたダストが付着する粘着剤を有する。
【０００７】
さらに好ましくは、粘着剤は、孔を有し、孔を介して吸引ファンによる吸い寄せが行われる。
【０００８】
また、好ましくは、フィルタは、空間の下部に取り付けられ、吸引ファンはフィルタの下部に取り付けられる。
【０００９】
また、好ましくは、撮像素子または撮像素子と撮像光学系との間に取り付けられた光学フィルタに帯電する電荷を除去する除電装置を更に備え、吸引ファンは、除電前に撮像素子または光学フィルタに付着していたダストを吸い寄せる。
【発明の効果】
【００１０】
以上のように本発明によれば、カメラ内部に存在するダストを除去する装置を提供することができる。
【発明を実施するための最良の形態】
【００１１】
以下、本発明の実施形態について、図を用いて説明する。本実施形態における撮像装置１は、クイックリターンミラー２０、焦点板２１、ペンタゴナルダハプリズム２２、接眼レンズ群２３、シャッタ３０、ローパスフィルタ４０、撮像素子５０、撮像素子基板５５、及び集塵装置としてのイオナイザ６０、吸引ファン７０、及び粘着剤付フィルタ８０とを備える。（図１参照）。撮像装置１は、撮像光学系（交換レンズ、不図示）が可能なデジタルカメラである。本実施形態では、撮像装置１は、クイックリターンミラー２０を備える一眼レフカメラであるとして説明する。
【００１２】
撮像光学系の光軸ＬＸは、撮像装置１に取り付けた時に、撮像素子５０の受光面内の撮像領域の中心に合致する。撮像素子５０は、撮像装置１内に取り付けられた撮像素子基板５５に取り付けられる。撮像素子５０の受光面近傍には、モアレを軽減するために使用されるローパスフィルタ４０が、受光面を覆うように配置される。光軸ＬＸは、ローパスフィルタ４０、撮像素子５０の受光面と直交する。
【００１３】
クイックリターンミラー２０は、撮像光学系とローパスフィルタ４０との間に取り付けられて、非撮影状態（ファインダー観察状態）の時に、光軸ＬＸをペンタゴナルダハプリズム２２へ向けて折り曲げる（ミラーダウン状態、図１参照）。
【００１４】
ファインダー観察状態では、撮像光学系を透過した被写体光は、クイックリターンミラー２０において反射する。その反射光は、撮像素子５０の受光面と等価な位置にある焦点板２１上において一旦結像した後、ペンタゴナルダハプリズム２２を介して接眼レンズ群２３に入射する。接眼レンズ群２３において、被写体の正立像が拡大観察可能である。
【００１５】
クイックリターンミラー２０の一端片には、回転軸が設けられており、撮影状態の時には、クイックリターンミラー２０は、この回転軸を中心に回転移動される。具体的には、撮影状態の時には、図１のミラーダウン状態から、クイックリターンミラー２０の反射面が焦点板２１と略平行に対向する状態にされる（ミラーアップ状態、不図示）。このとき、撮像光学系を透過した被写体光は、クイックリターンミラー２０を介さずシャッタ３０のスリットを通過し、ローパスフィルタ４０を透過して撮像素子５０の受光面内の撮像領域に入射する。
【００１６】
クイックリターンミラー２０とローパスフィルタ４０との間には、フォーカルプレーンシャッタであるシャッタ３０が配置されている。シャッタ３０は、撮影状態における露出時に、先幕と後幕との間に形成される任意の間隔を持つスリットを、所定の速度で撮像素子５０の受光面の前を横切るように移動させる。これにより、撮像光学系からの被写体光を撮像素子５０の受光面に到達させる。
【００１７】
ローパスフィルタ４０の近傍には、ローパスフィルタ４０の表面にイオン化された空気を供給するためのイオナイザ６０が配置される。イオナイザ６０は、イオン発生装置であり、イオナイザ６０の放電により周囲の空気がイオン化され、これによりローパスフィルタ５０に帯電した電荷を除去する除電装置である。本実施形態では、イオナイザ６０はクイックリターンミラー２０の下部で且つ、クイックリターンミラー２０を含む空間（ミラーボックス）内に配置される。
【００１８】
クイックリターンミラー２０の下部には、吸引ファン７０と粘着剤付フィルタ８０が取り付けられる。吸引ファン７０は、ミラーボックス内のダストを含む空気を吸い寄せるファンで、特に空気と共にイオナイザ６０の放電により帯電したダストを吸い寄せる。吸引ファン７０の上（吸引ファン７０とクイックリターンミラー２０の間）には、粘着剤付フィルタ８０が取り付けられ、吸引ファン７０により吸い寄せられたダストを吸着する。粘着剤付フィルタ８０は、径が１５〜２０ミクロンの孔が設けられており、孔を介して吸引ファン７０による吸い寄せが行われる。この孔よりも大きいダスト（例えば、３０ミクロン程度の杉花粉など）は、粘着剤付フィルタ８０で吸着される。図２は粘着材付フィルタ８０上の粘着材Ａに付着したダストＢを示す。
【００１９】
吸引ファン７０、及び粘着剤付フィルタ８０の取り付け位置は、ミラーボックス内であればクイックリターンミラー２０の下部に限定されないが、帯電したダスト（プラスイオンまたはマイナスイオンと結合したダスト）は自重で落下するため、集塵効果を高めるためには下部に配置するのが望ましい。
【００２０】
イオナイザ６０、及び吸引ファン７０は、撮像装置１が有するゴミ除去スイッチ（不図示）がオン状態にされた時に駆動される。ゴミ除去スイッチは、操作者によってオンオフ切換が行われる。イオナイザ６０、及び吸引ファン７０の駆動は、撮像光学系を交換した時など、ミラーボックス内に浮遊するダスト又はローパスフィルタ４０に付着したダストを除去する必要がある時に行われる。
【００２１】
ミラーボックス内に浮遊するダスト又はローパスフィルタ４０に付着するダストは、空気中の浮遊ゴミやシャッタ３０の羽根の摩耗片などの金属片または樹脂の粉などである。
【００２２】
操作者の操作により、ゴミ除去スイッチがオン状態にされると、イオナイザ６０がオン状態にされて、イオナイザ６０のインバータ（不図示）が駆動され、イオナイザ６０の針状電極（不図示）に昇圧された交流電圧が印加される。針状電極の周囲には、正負の極性にイオン化された空気が発生する。イオン化された空気は、同じ極性のイオンが反発することにより、ミラーボックス内に徐々に拡散する。
【００２３】
シャッタ３０は、先幕が後幕から離れる方向に移動させて全開される。これにより、撮影状態における露出時以外ではシャッタ３０にて遮蔽されているローパスフィルタ４０を収容する空間がミラーボックスに対して開放される。イオン化された空気は開放されたローパスフィルタ４０を収容する空間に拡散する。イオン化された空気は、ローパスフィルタ４０に帯電する電荷と結びつき（静電気がイオンで中和され）、これにより、ローパスフィルタ４０に帯電する電荷は減少する（除電）。
【００２４】
ミラーボックス内で浮遊するダストが、ローパスフィルタ４０に引き寄せられることが少なくなるので、ダストの写り込みによる撮像素子５０が得る被写体像の画像の画質低下が軽減される。また、ローパスフィルタ４０に付着したダストが除去されやすくなり、吸引ファン７０による集塵がより効果的に行われる。
【００２５】
クイックリターンミラー２０は、ミラーダウン状態からミラーアップ状態にされてイオン化された空気の拡散が容易に行えるようにされる。但し、クイックリターンミラー２０は、ミラーダウン状態とミラーアップ状態を繰り返し行うことにより、イオン化された空気が攪拌されてもよい。
【００２６】
イオン化された空気のプラスイオンまたはマイナスイオンはミラーボックス内で浮遊するダストと結合され、自重により落下する。また、イオン化された空気のプラスイオンまたはマイナスイオンは、ローパスフィルタ４０などに付着したダストと結合され、結合したダストはローパスフィルタ４０などから離れやすい状態になる。
【００２７】
吸引ファン７０はオン状態にされると、ミラーボックス内のイオン化された空気を含む空気、及びプラスイオンまたはマイナスイオンと結合されたダストを吸い寄せる。吸い寄せられたダストは、粘着剤付フィルタ８０に付着する。粘着剤付フィルタ８０に付着したダストは、粘着剤付フィルタ８０から離れないので、再度帯電したローパスフィルタ４０に引き寄せられて付着することはない。
【００２８】
一定時間経過後、自動的にまたは操作者の操作により、ゴミ除去スイッチがオフ状態にされると、イオナイザ６０はオフ状態にされ、イオン化された空気の発生が終了する。クイックリターンミラー２０はミラーダウン状態にされる。シャッタ３０は遮蔽される。吸引ファン７０はオフ状態にされ、吸い寄せを停止する。これにより、非撮影状態（ファインダー観察状態）に戻される。
【００２９】
ミラーボックス内に浮遊するダストや、ローパスフィルタ４０に付着したダストは、撮影すると画像として写ってしまい、画質低下の原因となるが、本実施形態では、イオナイザ６０、吸引ファン７０、及び粘着剤付フィルタ８０を使って、除電、及び集塵を行うので、画像として写ってしまうダストを少なくすることが可能になり、ダストの写り込みによる画質低下を軽減することが可能になる。
【００３０】
本実施形態では、ローパスフィルタ４０が、撮像素子５０の受光面を覆うように配置されるので、ローパスフィルタ４０の除電を行う形態を説明したが、ローパスフィルタ４０と撮像素子５０との間にダストが入り込む空間がある構成であって受光面の除電及び集塵を行う形態であってもよい。
【図面の簡単な説明】
【００３１】
【図１】本実施形態における撮像装置の断面構成図である。
【図２】吸引ファンに粘着剤付フィルタが取り付けられた斜視図である。
【図３】吸引ファンと粘着剤付フィルタの斜視図である。
【符号の説明】
【００３２】
１  撮像装置
２０  クイックリターンミラー
２１  焦点板
２２  ペンタゴナルダハプリズム
２３  接眼レンズ群
３０  シャッタ
４０  ローパスフィルタ
５０  撮像素子
５５  撮像素子基板
６０  イオナイザ
７０  吸引ファン
８０  粘着剤付フィルタ
ＬＸ  光軸
【図１】
2006352516.tif 000003
【図２】
2006352516.tif 000004
【図３】
2006352516.tif 000005